(57)【要約】【課題】外観上、陳列室を広く見せることのできるショーケースを提供する。【解決手段】商品の陳列室３０を構成し少なくとも前面ガラス２２および側面ガラス２３で覆われたケース部１１と、機械室４３を備えた基台１０とを備え、機械室４３の後方に、圧縮機５０を配置し、機械室４３とケース部１１との間に形成されるダクト４４に送風ファン６２を配置し、送風ファン６２は、送風ファン６２の回転軸６２ａが上斜め後方に指向するように傾斜して配置されている。【選択図】図８
2020034212.tif 000002
【特許請求の範囲】
【請求項１】
商品の陳列室を構成し少なくとも前面ガラスおよび側面ガラスで覆われたケース部と、機械室を備えた基台とを備えたショーケースにおいて、
前記機械室の後方に、圧縮機を配置し、前記機械室と前記ケース部との間に形成されるダクトに送風ファンを配置し、
前記送風ファンは、前記送風ファンの回転軸が上斜め後方に指向するように傾斜して配置されたことを特徴とするショーケース。
【請求項２】
前記機械室と前記ダクトとの間に、仕切り板を設け、
前記仕切り板の後方に、立ち上げ部を形成し、前記立ち上げ部に対応する位置に前記圧縮機を配置したことを特徴とする請求項１に記載のショーケース。
【請求項３】
前記ダクトの後方に、前記仕切り板の立ち上げ部により斜め上方に曲折された傾斜部を形成し、前記傾斜部と前記立ち上げ部との間の空間に、前記送風ファンを配置したことを特徴とする請求項２に記載のショーケース。
【請求項４】
前記基台は、前記基台の前面および両側面を被覆する前面パネルおよび側面パネルを備え、
前記前面パネルは、前記基台の背面の高さ寸法より短い高さ寸法に形成されたことを特徴とする請求項１から請求項３のいずれか一項に記載のショーケース。
【請求項５】
前記前面パネルおよび前記側面パネルの内側に、前記機械室の内部に連通し、前記前面ガラスおよび前記側面ガラスに対向する吹出スリットを形成したことを特徴とする請求項４に記載のショーケース。
【請求項６】
前記機械室の背面に、前記機械室の内部に外気を取り入れる冷却ファンを設けたことを特徴とする請求項５に記載のショーケース。
【発明の詳細な説明】
【技術分野】
【０００１】
本発明は、ショーケースに係り、特に、陳列室内に商品を陳列するショーケースに関する。
【背景技術】
【０００２】
従来から、コンビニエンスストアのカウンタなどに設置される小型の低温ショーケースが知られている。
従来、このようなショーケースとして、透明壁を備えた陳列室と、この陳列室の下方に構成された機械室と、この機械室内に配設された圧縮機、凝縮器、凝縮器用ファンなどからなる冷却ユニットとを備え、透明壁の下部に構成され、機械室内の凝縮器用ファンから吐出された空気を透明壁外面に向けて吹き出す吹出口と、この吹出口と透明壁外面との間に区画して構成され、当該透明壁外面を流下する結露水が流入する受水部とを備えるようにした技術が開示されている（例えば、特許文献１参照）。
【先行技術文献】
【特許文献】
【０００３】
【特許文献１】特開２００８−０２５８８８号公報
【発明の概要】
【発明が解決しようとする課題】
【０００４】
しかしながら、このようなショーケースでは、圧縮機の大きさが影響して、機械室の大きさ、特に高さ寸法を大きく確保する必要がある。このように機械室を大きく確保すると、陳列室が小さく見えてしまい、外観上、見栄えが悪くなってしまう。
【０００５】
本発明は前記した点に鑑みてなされたものであり、外観上、陳列室を広く見せることのできるショーケースを提供することを目的とする。
【課題を解決するための手段】
【０００６】
前記目的を達成するため、ショーケースは、商品の陳列室を構成し少なくとも前面ガラスおよび側面ガラスで覆われたケース部と、機械室を備えた基台とを備えたショーケースにおいて、前記機械室の後方に、圧縮機を配置し、前記機械室と前記ケース部との間に形成されるダクトに送風ファンを配置し、前記送風ファンは、前記送風ファンの回転軸が上斜め後方に指向するように配置されたことを特徴とする。
これによれば、高さ寸法の大きい圧縮機を機械室の後方に配置し、機械室とケース部との間に形成されるダクトに送風ファンを送風ファンの回転軸が上斜め後方に指向するように傾斜して配置することで、基台の前方に比較的自由な空間を形成することができる。これにより、基台の前方の高さ寸法を低く形成することが可能となる。
【発明の効果】
【０００７】
本発明によれば、基台の前方の高さ寸法を低く形成することが可能となる。その結果、基台の内部空間を確保しつつ、前面パネルの高さ寸法を小さくすることで、ケース部の前面ガラスを大きくすることができ、外観上、陳列室を広く見せることができる。
【図面の簡単な説明】
【０００８】
【図１】本発明に係るショーケースの実施の形態を示す正面図。
【図２】本実施の形態のショーケースの背面図。
【図３】本実施の形態のショーケースの平面図。
【図４】本実施の形態のショーケースの扉を開いた状態を示す平面図。
【図５】本実施の形態のショーケースの右側面図。
【図６】本実施の形態のショーケースの左側面図。
【図７】本実施の形態のショーケースの底面図。
【図８】本実施の形態のショーケースの側面断面図。
【図９】本実施の形態の基台部分の断面図。
【図１０】本実施の形態の機械室部分の平面図。
【図１１】本実施の形態のダクト部分の平面図。
【図１２】本実施の形態の前面パネルの斜視図。
【図１３】本実施形態の側面パネルの斜視図。
【発明を実施するための形態】
【０００９】
第１の発明は、商品の陳列室を構成し少なくとも前面ガラスおよび側面ガラスで覆われたケース部と、機械室を備えた基台とを備えたショーケースにおいて、前記機械室の後方に、圧縮機を配置し、前記機械室と前記ケース部との間に形成されるダクトに送風ファンを配置し、前記送風ファンは、前記送風ファンの回転軸が上斜め後方に指向するように傾斜して配置された構成を有している。
これによれば、高さ寸法の大きい圧縮機を機械室の後方に配置し、機械室とケース部との間に形成されるダクトに送風ファンを送風ファンの回転軸が上斜め後方に指向するように傾斜して配置することで、基台の前方に比較的自由な空間を形成することができる。これにより、基台の前方の高さ寸法を低く形成することが可能となる。その結果、基台の内部空間を確保しつつ、前面パネルの高さ寸法を小さくすることで、ケース部の前面ガラスを大きくすることができ、外観上、陳列室を広く見せることができる。
【００１０】
第２の発明は、前記機械室と前記ダクトとの間に、仕切り板を設け、前記仕切り板の後方に、立ち上げ部を形成し、前記立ち上げ部に対応する位置に前記圧縮機を配置した構成を有している。
これによれば、仕切り板の後方形成された立ち上げ部に対応する位置に圧縮機を配置したので、基台の内部において、仕切り板の下方に圧縮機を収容することができる。
【００１１】
第３の発明は、前記ダクトの後方に、前記仕切り板の立ち上げ部により斜め上方に曲折された傾斜部を形成し、前記傾斜部と前記立ち上げ部との間の空間に、前記送風ファンを配置した構成を有している。
これによれば、ダクトの後方に形成された傾斜部と立ち上げ部との間の空間に、送風ファンを配置したので、簡単に送風ファンを、空気の吹き出し方向が上斜め後方となるように傾斜して配置することができる。
【００１２】
第４の発明は、前記基台は、前記基台の前面および両側面を被覆する前面パネルおよび側面パネルを備え、前記前面パネルは、前記基台の背面の高さ寸法より短い高さ寸法に形成された構成を有している。
これによれば、前面パネルを、基台の背面の高さ寸法より短い高さ寸法に形成することで、基台の前方の高さ寸法を低く形成することができ、その結果、基台の内部空間を確保しつつ、ケース部の前面ガラスを大きくすることができ、外観上、陳列室を広く見せることができる。
【００１３】
第５の発明は、前記前面パネルおよび前記側面パネルの内側に、前記機械室の内部に連通し、前記前面ガラスおよび前記側面ガラスに対向する吹出スリットを形成した構成を有している。
これによれば、前面パネルおよび側面パネルの内側に、機械室の内部に連通し、前面ガラスおよび側面ガラスに対向する吹出スリットを形成したので、機械室の内部における放熱された暖かい空気を吹出スリットから前面ガラスおよび側面ガラスに吹き出すことができ、陳列室の内部が低温となることにより発生する結露を除去することができる。
【００１４】
第６の発明は、前記機械室の背面に、前記機械室の内部に外気を取り入れる冷却ファンを設けた構成を有している。
これによれば、機械室の背面に、機械室の内部に外気を取り入れる冷却ファンを設けたので、圧縮機からの放熱された空気や凝縮器の熱交換により放熱された空気を、機械室の内部に送ることができる。その結果、吹出スリットから前面ガラスおよび側面ガラスに放熱された暖かい空気を吹き出すことができる。
【００１５】
以下、本発明の実施の形態について、図面を参照して説明する。
図１は本発明に係るショーケースの実施の形態を示す正面図である。図２は本実施の形態のショーケースの背面図である。図３は、本実施の形態のショーケースの平面図である。図４は、本実施の形態のショーケースの扉を開いた状態を示す平面図である。図５は、本実施の形態のショーケースの右側面図である。図６は、本実施の形態のショーケースの左側面図である。図７は、本実施の形態のショーケースの底面図である。図８は、本実施の形態のショーケースの側面断面図である。図９は、基台部分の断面図である。図１０は、機械室部分の平面図である。図１１は、ダクト部分の平面図である。
本実施の形態のショーケース１は、コンビニエンスストアなどの店舗内において用いられ、例えば、店舗内のレジカウンタなどに据え付けられる小型の低温ショーケースである。
【００１６】
図１から図７に示すように、ショーケース１は、ショーケース１を支持する基台１０と、この基台１０の上方に設置されるケース部１１とから構成されている。
基台１０は、箱型に形成されており、前面パネル１２と、左右両側の側面パネル１３と、背面パネル１４とから構成されている。基台１０の上面には、基台１０の内部とケース部１１とを仕切るデッキパン１５が配置されている。
【００１７】
ケース部１１は、その角部にそれぞれ立設された支柱２０を備えており、各支柱２０の上端部には、天板２１が設けられている。ケース部１１は、各支柱２０により支持された前面ガラス２２と、左右両側の側面ガラス２３とを備えており、ケース部１１の背面側には、開口２４が設けられている。開口２４は、ケース部１１の背面側に位置する支柱２０と、天板２１と、デッキパン１５とにより囲まれた空間に形成されている。
図２に示すように、開口２４には、２枚の扉２５が設けられている。扉２５は、四角枠状に形成された扉枠２６を備え、扉枠２６の内側には、背面ガラス２９がはめ込まれている。各扉２５は、天板２１の後面およびデッキパン１５の後面のそれぞれ両側部分に蝶番２７を介して取り付けられており、各扉２５は、蝶番２７の軸芯を中心軸として観音開き式に開閉自在とされている。各扉枠２６を形成する４つの辺のうち、両方の扉２５を閉じた際に互いに近接する辺には、取っ手２８が設けられている。
【００１８】
ケース部１１の内部は、商品を陳列する陳列室３０とされている。ケース部１１に内側後方には、上下方向に延在する棚支柱３１が設けられている。棚支柱３１の前面には、多数の係合孔３１ａが上下方向に所定間隔で配列されている。
棚板３２は、棚支柱３１に取り付けられる一対の支持部材３３を備えている。支持部材３３の後端部には、棚支柱３１の係合孔に係合されるフック３３ａが形成されている。
そして、支持部材３３のフック３３ａを所定高さに位置する係合孔３１ａに係合させることにより、棚板３２を任意の高さに固定することができるように構成されている。
本実施の形態においては、３段の棚板３２が設けられており、これら各棚板３２およびデッキパン１５の上面に、商品が陳列される構成とされている。
【００１９】
図５および図６に示すように、側面ガラス２３の後方には、上下方向に延在する化粧板３４が設けられており、棚板３２の後方部分を外部から被覆するように構成されている。
また、図８に示すように、天板２１の前端部分には、凹部３５が形成されており、この凹部３５には、例えば、ＬＥＤなどからなる照明灯３６が天板２１の全幅に亘って取り付けられている。
【００２０】
図８および図９に示すように、基台１０の内部には、基台１０の内部空間を上下に仕切る仕切り板４０が配置されている。仕切り板４０は、略平面状の平面部４１と、後端部に位置する立ち上げ部としての後部立ち上げ部４２と、前端部に位置する前部立ち上げ部８５とを備えている。基台１０の内部における仕切り板４０より下方の空間は、機械室４３とされている。基台１０の内部における仕切り板４０の上方で、かつ、デッキパン１５の下方の空間は、ダクト４４とされている。
デッキパン１５の後方には、仕切り板４０の後部立ち上げ部４２に対応するように斜め上方に曲折された傾斜部４５が形成されている。ダクトの後方であって傾斜部４５と後部立ち上げ部４２との間の空間は、吹出口４６とされており、ダクト４４の前方であって前部立ち上げ部８５とデッキパン１５の先端部との間の空間は、吸込口４７とされている。
図１１に示すように、吹出口４６には、基台１０の幅方向に延在する吹出カバー８０が設けられており、吹出カバー８０には、多数の吹出スリット８１が形成されている。吸込口４７には、基台１０の幅方向に延在する吸込カバー４８が設けられており、吸込カバー４８には、多数の吸込スリット４９が形成されている。
【００２１】
図１０に示すように、機械室４３の内部後方であって後部立ち上げ部４２に対応する位置あるいはそれよりも後方には、圧縮機５０が収容されている。本実施の形態においては、圧縮機５０は比較的小型のものが適用されているが、それでも圧縮機５０の高さ寸法は、大きく形成されているため、仕切り板４０の後部立ち上げ部４２に対応する位置に圧縮機５０を配置することにより、圧縮機５０を設置するための高さ方向の空間を確保することができるように構成されている。
圧縮機５０は、機械室４３の一側（本実施の形態においては、背面側から見て左側）に配置されており、機械室４３の内部であって圧縮機５０の近傍には、凝縮器５１が配置されている。
機械室４３の背面には、冷却ファン５２が設けられている。冷却ファン５２を駆動することにより、機械室４３の内部に外気を導入し、圧縮機５０の冷却および凝縮器５１による熱交換を促進するように構成されている。
【００２２】
機械室４３の他側（本実施の形態においては、背面側から見て右側）には、図示しない下部ドレンパンが配置されている。下部ドレンパンには、多数の蒸発板が配列された蒸発装置（図示せず）が設けられている。機械室４３の背面であって蒸発装置の設置位置に対応する位置には、排気カバー５３が設けられており、排気カバー５３には、多数の排気スリット５４が形成されている。
機械室４３の後方には、電源ユニット５５が配置されている。電源ユニット５５には、ショーケース１のＯＮ・ＯＦＦを行う電源スイッチ５６や温度調整スイッチ５７などが設けられている。
下部ドレンパンの上方には、図示しない電装箱が設置されている。
【００２３】
図１１に示すように、ダクト４４の内部には、蒸発器６０が設置されている。前述の圧縮機５０、凝縮器５１および蒸発器６０は、冷媒配管（図示せず）を介して接続されており、圧縮機５０から凝縮器５１および蒸発器６０を循環して圧縮機５０に戻る冷凍サイクルを構成している。
ダクト４４の吹出口４６の近傍には、送風ファン６２が配置されている。送風ファン６２は、傾斜部４５と後部立ち上げ部４２の基部、すなわち、後部立ち上げ部４２と平面部４１との境界部分との間に傾斜して配置されている。
送風ファン６２は、送風ファン６２の回転軸６２ａが上斜め後方に指向されるように傾斜して配置されるものであり、このように送風ファン６２の回転軸６２ａを傾斜して配置することにより、送風ファン６２による空気の吹き出し方向が上斜め後方となる。
【００２４】
蒸発器６０により熱交換された空気は、送風ファン６２により吹出口４６から吹き出されるが、送風ファン６２と蒸発器６０とがあまりに近接していると送風効率が悪くなるため、送風ファン６２と蒸発器６０との間に空気溜りがあることが望まれる。
本実施の形態においては、送風ファン６２を傾斜して配置することにより、蒸発器６０を通過する空気の空気溜まりを確保しつつ、高さ寸法を低く配置することが可能となる。
このように高さ寸法の大きい圧縮機５０を機械室４３の後方に配置し、仕切り板４０の後部立ち上げ部４２の近傍に送風ファン６２を傾斜して配置することにより、基台１０の前方に比較的自由な空間を形成することができる。これにより、基台１０の前方の高さ寸法を低く形成することが可能となる。
【００２５】
そのため、本実施の形態においては、前面パネル１２の高さ寸法は、基台１０の背面の高さ寸法より低く形成されており、側面パネル１３は、の上端縁は、後方が高く前方に行くにつれて高さ寸法が低くなるように傾斜面１３ａが形成されている。
この場合に、側面パネル１３には、傾斜面１３ａが形成されているが、図８および図９に示すように、基台１０の内部空間、すなわち、デッキパン１５により仕切られたダクト４４の上部は、略水平状態に保たれており、ダクト４４の空間は十分に確保されている。
これにより、基台１０の内部空間を確保しつつ、前面パネル１２の高さ寸法を小さくすることで、ケース部１１の前面ガラス２２を大きくすることができ、外観上、陳列室３０を広く見せる効果が期待できる。
【００２６】
そして、圧縮機５０、冷却ファン５２および送風ファン６２をそれぞれ駆動することにより、圧縮機５０から吐出された冷媒が凝縮器５１で熱交換され、その後、蒸発器６０で熱交換されることで、ダクト４４の内部を流れる空気を冷却し、吹出口４６から陳列室３０に吹き出させる。この冷却空気は、陳列室３０の内部を循環し、吸込スリット４９および吸込口４７からダクト４４の内部に吸い込まれる。この動作が連続して行われることで、陳列室３０の内部を冷却することが可能となる。
【００２７】
また、仕切り板４０の後部立ち上げ部４２の基部には、平面部４１の高さよりわずかに低く配置された上部ドレンパン６３が設けられている。上部ドレンパン６３は、蒸発器６０に結露した水を回収して貯留するためのものである。
上部ドレンパン６３の底面には、ドレン抜き６４が設けられている。ドレン抜き６４は、下部ドレンパンの上方に対応する位置に設けられており、ドレン抜き６４により上部ドレンパン６３から流れるドレンは、下部ドレンパンに貯留されるように構成されている。
なお、ドレン抜き６４は、例えば、上部ドレンパン６３に所定量のドレンが溜まった場合に、上部ドレンパン６３のドレンを下部ドレンパンに流すことができるようになっている。
【００２８】
デッキパン１５の下面側には、吸水シート６５が配置されている。吸水シート６５は、蒸発器６０の表面およびデッキパン１５の下面に付着した水を吸水するものである。
このように吸水シート６５を配置することで、ダクト４４の内部を流れる空気を、吸水シート６５に吸収された水分および上部ドレンパン６３に貯留された水分により湿らせることができる。
これにより、蒸発器６０で熱交換した空気の湿度を高めることができ、陳列室３０の内部湿度を所定以上に保持することができる。陳列室３０に陳列された商品を、一定以下の温度、所定の湿度に管理することで商品の乾燥を抑えることができ、その結果、商品を長持ちさせることができる。
【００２９】
図１２は、基台１０の前面パネル１２を示す斜視図である。図１３は、基台１０の側面パネル１３を示す斜視図である。
図１２に示すように、前面パネル１２は、その上端縁を内側（後方）に折曲してなる前面フランジ部７０が形成されており、前面フランジ部７０の後端縁には、下方に延在する前面吹出板７１が形成されている。前面吹出板７１には、多数の吹出スリット７２が幅方向に配列されている。これらの吹出スリット７２は、前面ガラス２２の下方に対向するように配置される。
また、図１３に示すように、側面パネル１３は、その上端縁を内側（右方向）に折曲してなる側面フランジ部７５が形成されており、側面フランジ部７５の右端縁には、下方に延在する側面吹出板７６が形成されている。側面吹出板７６には、多数の吹出スリット７７が幅方向に配列されている。これら吹出スリット７７は、側面ガラス２３の下方に対向するように配置される。
なお、図１０においては、ショーケース１の前面側から見て左側の側面パネル１３を示しているが、右側の側面パネル１３についても、同様に、吹出スリット７７が形成されるものである。
【００３０】
機械室４３の前面および両側面は、開放されており、前面パネル１２および両側面パネル１３により被覆されている。
そのため、圧縮機５０からの放熱された空気や凝縮器５１の熱交換により放熱された空気は、機械室４３の内部に充満する。この空気は、一部は、排気スリット５４を介してショーケース１の外部に排気され、他の一部は、前面パネル１２および側面パネル１３の吹出スリット７２,７７から前面ガラス２２および側面ガラス２３に吹き出される。
これにより、前面ガラス２２および側面ガラス２３に対して暖かい空気が吹き付けられることになり、陳列室３０の内部が低温となることにより発生する結露を除去することが可能となる。
【００３１】
次に、本実施形態の作用について説明する。
本実施形態のショーケース１においては、圧縮機５０、送風ファン６２および冷却ファン５２を駆動することにより、蒸発器６０とダクト４４の内部を流れる空気とが熱交換されて冷却され、この冷却された空気が吹出口４６を介して陳列室３０に吹き出される。これにより、陳列室３０の内部が所定温度に冷却される。
また、陳列室３０の内部空気は、陳列室３０の内部を循環した後、吸込口４７を介してダクト４４の内部に取り込まれ、再び、蒸発器６０と熱交換が行われる。
【００３２】
また、ダクト４４の内部を流れる空気は、吸水シート６５に吸収された水分および上部ドレンパン６３に貯留された水分により湿度を高めることができ、蒸発器６０で熱交換した空気の湿度を高めた状態で、陳列室３０に吹き出すことができる。
これにより、陳列室３０の内部湿度を所定以上に保持することができる。陳列室３０に陳列された商品を、一定以下の温度、所定の湿度に管理することで、商品の乾燥を抑えることができ、その結果、商品を長持ちさせることができる。
【００３３】
また、ショーケース１の場合、陳列室３０の内部温度が低くなるので、陳列室３０の前面ガラス２２および側面ガラス２３に結露が発生してしまい、陳列している商品が見にくくなることがある。
本実施の形態においては、機械室４３の内部において、圧縮機５０からの放熱された空気や凝縮器５１の熱交換により放熱された空気が充満し、この空気の一部が、前面パネル１２および側面パネル１３の吹出スリットから前面ガラス２２および側面ガラス２３に吹き出される。
これにより、前面ガラス２２および側面ガラス２３に対して暖かい空気が吹き付けられることになり、陳列室３０の内部が低温となることにより発生する結露を除去することが可能となる。
【００３４】
また、本実施の形態においては、高さ寸法の大きい圧縮機５０を機械室４３の後方に配置し、仕切り板４０の後部立ち上げ部４２の近傍に送風ファン６２を傾斜して配置するようにしているので、基台１０の前方に比較的自由な空間を形成することができる。これにより、基台１０の前方の高さ寸法を低く形成することが可能となる。その結果、基台１０の内部空間を確保しつつ、前面パネル１２の高さ寸法を小さくすることで、ケース部１１の前面ガラス２２を大きくすることができ、外観上、陳列室３０を広く見せることができる。
【００３５】
本実施の形態のショーケース１は、コンビニエンスストアなどの店舗内において用いられる小型の低温ショーケースであるが、一般的に、コンビニエンスストアなどの店舗内においては、温かい商品を温かい状態で保存し販売する温蔵ショーケースも設置されている。
温蔵ショーケースは、その下部にヒーターなどの発熱部品を備えるだけでよく、圧縮機などの大型部品は不要であるため、本実施の形態の基台１０に対応する温蔵ショーケースの底部は、その高さが低い構成となっている。
上述したとおり、本実施の形態のショーケース１は、基台１０の前方の高さ寸法を低く形成することが可能となるため、同一店舗内において本実施の形態のショーケース１と温蔵ショーケースとを並べて設置した場合であっても、特に正面から両ショーケースを見た際、両ショーケースの見た目のバランスを保つことができ、デザイン的な統一感を持たせることができる。
【００３６】
以上述べたように、本実施形態においては、商品の陳列室３０を構成し少なくとも前面ガラス２２および側面ガラス２３で覆われたケース部１１と、機械室４３を備えた基台１０とを備え、機械室４３の後方に、圧縮機５０を配置し、機械室４３とケース部１１との間に形成されるダクト４４に送風ファン６２を配置し、送風ファン６２は、送風ファン６２の回転軸６２ａが上斜め後方に指向するように傾斜して配置されている。
これにより、高さ寸法の大きい圧縮機５０を機械室４３の後方に配置し、機械室４３とケース部１１との間に形成されるダクト４４に送風ファン６２を送風ファン６２の回転軸６２ａが上斜め後方に指向するように傾斜して配置することで、基台１０の前方に比較的自由な空間を形成することができる。これにより、基台１０の前方の高さ寸法を低く形成することが可能となる。その結果、基台１０の内部空間を確保しつつ、前面パネル１２の高さ寸法を小さくすることで、ケース部１１の前面ガラス２２を大きくすることができ、外観上、陳列室３０を広く見せることができる。
【００３７】
また、本実施の形態においては、機械室４３とダクト４４との間に、仕切り板４０を設け、仕切り板４０の後方に、後部立ち上げ部４２（立ち上げ部）を形成し、後部立ち上げ部４２に対応する位置に圧縮機５０を配置した。
これにより、仕切り板４０の後方形成された後部立ち上げ部４２に対応する位置に圧縮機５０を配置したので、基台１０の内部において、仕切り板４０の下方に圧縮機５０を収容することができる。
【００３８】
また、本実施の形態においては、ダクト４４の後方に、仕切り板４０の後部立ち上げ部４２により斜め上方に曲折された傾斜部４５を形成し、傾斜部４５と後部立ち上げ部４２との間の空間に、送風ファン６２を配置した。
これにより、ダクト４４の後方に形成された傾斜部４５と後部立ち上げ部４２との間の空間に、送風ファン６２を配置したので、簡単に送風ファン６２を、空気の吹き出し方向が上斜め後方となるように傾斜して配置することができる。
【００３９】
また、本実施の形態においては、基台１０は、基台１０の前面および両側面を被覆する前面パネル１２および側面パネル１３を備え、前面パネル１２は、基台１０の背面の高さ寸法より短い高さ寸法に形成されている。
これにより、前面パネル１２を、基台１０の背面の高さ寸法より短い高さ寸法に形成することで、基台１０の前方の高さ寸法を低く形成することができ、その結果、基台１０の内部空間を確保しつつ、ケース部１１の前面ガラス２２を大きくすることができ、外観上、陳列室３０を広く見せることができる。
【００４０】
また、本実施の形態においては、前面パネル１２および側面パネル１３の内側に、機械室４３の内部に連通し、前面ガラス２２および側面ガラス２３に対向する吹出スリットを形成した。
これにより、前面パネル１２および側面パネル１３の内側に、機械室４３の内部に連通し、前面ガラス２２および側面ガラス２３に対向する吹出スリットを形成したので、機械室４３の内部における放熱された暖かい空気を吹出スリットから前面ガラス２２および側面ガラス２３に吹き出すことができ、陳列室３０の内部が低温となることにより発生する結露を除去することができる。
【００４１】
また、本実施の形態においては、機械室４３の背面に、機械室４３の内部に外気を取り入れる冷却ファン５２を設けた。
これにより、機械室４３の背面に、機械室４３の内部に外気を取り入れる冷却ファン５２を設けたので、圧縮機５０からの放熱された空気や凝縮器５１の熱交換により放熱された空気を、機械室４３の内部に送ることができる。その結果、吹出スリットから前面ガラス２２および側面ガラス２３に放熱された暖かい空気を吹き出すことができる。
【００４２】
なお、本発明は、前記実施形態に記載のものに限定されるものではなく、本発明の趣旨を逸脱しない範囲で種々変更および応用が可能である。
【産業上の利用可能性】
【００４３】
以上のように、本発明に係るショーケースは、基台の内部空間を確保しつつ、前面パネルの高さ寸法を小さくすることで、外観上、陳列室を広く見せることのできるショーケースとして好適に利用可能である。
【符号の説明】
【００４４】
１  ショーケース
１０  基台
１１  ケース部
１２  前面パネル
１３  側面パネル
１４  背面パネル
１５  デッキパン
２１  天板
２２  前面ガラス
２３  側面ガラス
３０  陳列室
３２  棚板
４０  仕切り板
４２  後部立ち上げ部
４３  機械室
４４  ダクト
４５  傾斜部
４６  吹出口
４７  吸込口
５０  圧縮機
５１  凝縮器
５２  冷却ファン
６０  蒸発器
６２  送風ファン
６２ａ  回転軸
６３  上部ドレンパン
６５  吸水シート
７１  前面吹出板
７２  吹出スリット
７６  側面吹出板
７７  吹出スリット
【図１】
2020034212.tif 000003
【図２】
2020034212.tif 000004
【図３】
2020034212.tif 000005
【図４】
2020034212.tif 000006
【図５】
2020034212.tif 000007
【図６】
2020034212.tif 000008
【図７】
2020034212.tif 000009
【図８】
2020034212.tif 000010
【図９】
2020034212.tif 000011
【図１０】
2020034212.tif 000012
【図１１】
2020034212.tif 000013
【図１２】
2020034212.tif 000014
【図１３】
2020034212.tif 000015